(57)【特許請求の範囲】
【請求項１】
腹面及び背面のうち一方を構成する第１壁部と、
前記腹面及び前記背面のうち他方を構成し、前記第１壁部と結合された第２壁部と、
前記第１壁部と前記第２壁部との間に形成された空間に、前記第１壁部及び前記第２壁部の両方に接するように弾性変形状態で配置された、少なくとも１つの板ばねと、を備え、
前記少なくとも１つの板ばねは、
前記第１壁部に固定された固定部と、
前記弾性変形状態に起因する付勢方向にて前記第２壁部と対向する少なくとも１つの板ばね側対向領域と、を有し、
前記第２壁部は、前記少なくとも１つの板ばね側対向領域と対向する少なくとも１つの第２壁部側対向領域を有し、
前記少なくとも１つの板ばね及び前記第２壁部のうち一方は、前記少なくとも１つの板ばね側対向領域又は前記少なくとも１つの第２壁部側対向領域に、他方に向けて突出し且つ接触する凸部を有し、
前記凸部は、前記板ばね又は前記第２壁部の構成部材の一部が、該凸部の周囲に比べて隆起して形成される
ことを特徴とする回転機械翼。
【請求項２】
前記少なくとも１つの板ばねは、前記回転機械翼の高さ方向に配列された複数の板ばねを含む
ことを特徴とする請求項１に記載の回転機械翼。
【請求項３】
腹面及び背面のうち一方を構成する第１壁部と、
前記腹面及び前記背面のうち他方を構成し、前記第１壁部と結合された第２壁部と、
前記第１壁部と前記第２壁部との間に形成された空間に、前記第１壁部及び前記第２壁部の両方に接するように弾性変形状態で配置された、少なくとも１つの板ばねと、を備え、
前記少なくとも１つの板ばねは、
前記第１壁部に固定された固定部と、
前記弾性変形状態に起因する付勢方向にて前記第２壁部と対向する少なくとも１つの板ばね側対向領域と、を有し、
前記第２壁部は、前記少なくとも１つの板ばね側対向領域と対向する少なくとも１つの第２壁部側対向領域を有し、
前記少なくとも１つの板ばね及び前記第２壁部のうち一方は、前記少なくとも１つの板ばね側対向領域又は前記少なくとも１つの第２壁部側対向領域に、他方に向けて突出し且つ接触する凸部を有し、
前記少なくとも１つの板ばね及び前記第２壁部のうち他方は、前記少なくとも１つの板ばね側対向領域又は前記少なくとも１つの第２壁部側対向領域に、前記凸部を摺動可能に受け入れる凹部を有する
ことを特徴とする回転機械翼。
【請求項４】
前記凸部及び前記凹部は、曲面によって構成された表面をそれぞれ有する
ことを特徴とする請求項３に記載の回転機械翼。
【請求項５】
前記凹部の表面を構成する曲面の曲率は、前記凸部の表面を構成する曲面の曲率以下である
ことを特徴とする請求項４に記載の回転機械翼。
【請求項６】
請求項１乃至５の何れか一項に記載の回転機械翼を備えることを特徴とする回転機械。
【請求項７】
請求項１乃至５の何れか一項に記載の回転機械翼に用いられるダンパ装置であって、
前記板ばねを備え、
前記板ばねは、
前記第１壁部に固定される固定部と、
前記弾性変形状態に起因する付勢方向にて前記第２壁部と対向させられる少なくとも１つの板ばね側対向領域と、
前記少なくとも１つの板ばね側対向領域に形成され、前記第２壁部に向けて突出し且つ接触するように構成された凸部と、
を有する
ことを特徴とするダンパ装置。
【発明の詳細な説明】
【技術分野】
【０００１】
本開示は回転機械翼、回転機械及びダンパ装置に関する。
【背景技術】
【０００２】
回転機械には中空の翼（回転機械翼）を有するものがある。そして、例えば特許文献１が開示する静翼は、翼内部の空洞部にダンパ装置として板ばねを有している。当該静翼では、静翼が振動したときに、板ばねと翼内面とが摺動することにより、摩擦減衰効果が得られる。
【先行技術文献】
【特許文献】
【０００３】
【特許文献１】特開２０１３−７２３３３号
【発明の概要】
【発明が解決しようとする課題】
【０００４】
静翼が振動したときの振動数や摩擦減衰特性は、板ばねと翼内面との間での接触面の大きさや位置で大きく異なるが、従来、板ばねと翼内面との間での接触面の大きさや位置のばらつきを小さくすることは困難であった。このため、ダンパ装置として板ばねを有する翼については、振動時の振動数や摩擦減衰特性を製造上管理することが難しかった。また、このようなばらつきの存在により、ダンパ装置として板ばねを有する翼については、設計時に、振動時の振動数や摩擦減衰特性を予測することも困難であった。
【０００５】
上記事情に鑑みて、本発明の少なくとも一実施形態の目的は、振動時の振動数や摩擦減衰特性の安定化が図られた回転機械翼、該回転機械翼を備える回転機械、及び、該回転機械翼のためのダンパ装置を提供することにある。
【課題を解決するための手段】
【０００６】
（１）本発明の少なくとも一実施形態に係る回転機械翼は、
腹面及び背面のうち一方を構成する第１壁部と、
前記腹面及び前記背面のうち他方を構成し、前記第１壁部と結合された第２壁部と、
前記第１壁部と前記第２壁部との間に形成された空間に、前記第１壁部及び前記第２壁部の両方に接するように弾性変形状態で配置された、少なくとも１つの板ばねと、を備え、
前記少なくとも１つの板ばねは、
前記第１壁部に固定された固定部と、
前記弾性変形状態に起因する付勢方向にて前記第２壁部と対向する少なくとも１つの板ばね側対向領域と、を有し、
前記第２壁部は、前記少なくとも１つの板ばね側対向領域と対向する少なくとも１つの第２壁部側対向領域を有し、
前記少なくとも１つの板ばね及び前記第２壁部のうち一方は、前記少なくとも１つの板ばね側対向領域又は前記少なくとも１つの第２壁部側対向領域に、他方に向けて突出し且つ接触する凸部を有する。
【０００７】
上記構成（１）では、板ばねの板ばね側対向領域及び第２壁部の第２壁部側対向領域のうち一方に、他方に向けて突出し且つ接触する凸部が設けられており、凸部によって、板ばね側対向領域と第２壁部側対向領域との間の接触面の大きさ及び位置が決定される。この結果として、接触面の大きさ及び位置のばらつきが抑制され、回転機械翼の振動時の振動数や摩擦減衰特性の安定化が図られる。
【０００８】
（２）幾つかの実施形態では、上記構成（１）において、
前記少なくとも１つの板ばねは、前記回転機械翼の高さ方向に配列された複数の板ばねを含む。
【０００９】
凸部が回転機械翼の高さ方向に長い場合、高さ方向位置によって、板ばね側対向領域又は第２壁部側対向領域と凸部との間の接触状態にばらつきが生じる可能性がある。特に、第１壁部や第２壁部が３次元的な形状を有している場合、ばらつきが大きくなる可能性がある。この点、上記構成（２）では、複数の板ばねが、回転機械翼の高さ方向に配列されることで、各板ばねにおいて、板ばね側対向領域又は第２壁部側対向領域と凸部との間で、接触面の大きさ及び位置を、的確に決定することができる。この結果、回転機械翼の高さにかかわらずに、振動時の振動数や摩擦減衰特性の安定化を図ることができる。
【００１０】
（３）幾つかの実施形態では、上記構成（１）又は（２）において、
前記少なくとも１つの板ばね及び前記第２壁部のうち他方は、前記少なくとも１つの板ばね側対向領域又は前記少なくとも１つの第２壁部側対向領域に、前記凸部を摺動可能に受け入れる凹部を有する。
【００１１】
上記構成（３）では、凸部が凹部に摺動可能に受け入れられることで、凸部及び凹部によって、板ばね側対向領域と第２壁部側対向領域との間の接触面の大きさ及び位置が決定される。この結果として、接触面の大きさ及び位置のばらつきがより一層抑制され、振動時の振動数や摩擦減衰特性の安定化がより一層図られる。
【００１２】
（４）幾つかの実施形態では、上記構成（１）乃至（３）の何れか１つにおいて、
前記凸部及び前記凹部は、曲面によって構成された表面をそれぞれ有する。
【００１３】
上記構成（４）によれば、凸部及び凹部の表面が曲面によって構成されているので、凸部と凹部の間の接触面の大きさを大きくすることができ、大きな摩擦減衰を得ることができる。
【００１４】
（５）幾つかの実施形態では、上記構成（４）において、
前記凹部の表面を構成する曲面の曲率は、前記凸部の表面を構成する曲面の曲率以下である。
【００１５】
上記構成（５）によれば、凹部の表面を構成する曲面の曲率半径は、前記凸部の表面を構成する曲面の曲率半径以上であるので、凸部と凹部の間の接触面の大きさを大きくしながら、凹部に対する凸部の摺動が確実に許容される。
【００１６】
（６）本発明の一実施形態に係る回転機械は、
上記構成（１）乃至（５）の何れか１つに記載の回転機械翼を備える。
【００１７】
上記構成（６）によれば、回転機械翼において、板ばねの板ばね側対向領域及び第２壁部の第２壁部側対向領域のうち一方に、他方に向けて突出し且つ接触する凸部が設けられており、凸部によって、板ばね側対向領域と第２壁部側対向領域との間の接触面の大きさ及び位置が決定される。これにより、接触面の大きさ及び位置のばらつきが抑制され、振動時の振動数や摩擦減衰特性の安定化が図られる。この結果として、上記構成（６）の回転機械では、回転機械翼の振動が抑制され、全体としても振動が抑制される。
【００１８】
（７）本発明の一実施形態に係るダンパ装置は、
上記構成（１）乃至（５）の何れか一つに記載の回転機械翼に用いられるダンパ装置であって、
前記板ばねを備え、
前記板ばねは、
前記第１壁部に固定される固定部と、
前記弾性変形状態に起因する付勢方向にて前記第２壁部と対向させられる少なくとも１つの板ばね側対向領域と、
前記少なくとも１つの板ばね側対向領域に形成され、前記第２壁部に向けて突出し且つ接触するように構成された凸部と、
を有する。
【００１９】
上記構成（７）では、ダンパ装置を構成する板ばねの板ばね側対向領域に、第２壁側対向領域に向けて突出し且つ接触するように構成された凸部が設けられており、凸部によって、板ばね側対向領域と第２壁部側対向領域との間の接触面の大きさ及び位置が決定される。これにより、接触面の大きさ及び位置のばらつきが抑制され、振動時の振動数や摩擦減衰特性の安定化が図られる。この結果として、上記構成（７）のダンパ装置を用いた回転機械翼を有する回転機械では、回転機械翼の振動が抑制され、全体としても振動が抑制される。
【発明の効果】
【００２０】
本発明の少なくとも一実施形態によれば、振動時の振動数や摩擦減衰特性の安定化が図られた回転機械翼、該回転機械翼を備える回転機械、及び、該回転機械翼のためのダンパ装置が提供される。
【図面の簡単な説明】
【００２１】
【図１】本発明の一実施形態に係る回転機械として、蒸気タービンの概略的な構成を示す図である。
【図２】図１の蒸気タービンに用いられている複数の静翼を、シュラウド及び翼根リングとともに概略的に示す斜視図である。
【図３】図２中の静翼を概略的に示す斜視図である。
【図４】図３の静翼を概略的に示す横断面図である。
【図５】図４の静翼に用いられているダンパ装置としての板ばねを概略的に示す断面図である。
【図６】他の一実施形態に係る静翼を概略的に示す斜視図である。
【図７】他の一実施形態に係る静翼を概略的に示す横断面図である。
【図８】他の一実施形態に係る静翼を概略的に示す横断面図である。
【図９】他の一実施形態に係る静翼を概略的に示す横断面図である。
【図１０】他の一実施形態に係る静翼を概略的に示す横断面図である。
【図１１】図１０の静翼に用いられているダンパ装置としての板ばねを概略的に示す断面図である。
【図１２】他の一実施形態に係る静翼を概略的に示す横断面図である。
【図１３】図１２の静翼に用いられているダンパ装置としての板ばねを概略的に示す断面図である。
【発明を実施するための形態】
【００２２】
以下、添付図面を参照して本発明の幾つかの実施形態について説明する。ただし、実施形態として記載されている又は図面に示されている構成部品の寸法、材質、形状、その相対的配置等は、本発明の範囲をこれに限定する趣旨ではなく、単なる説明例にすぎない。
例えば、「ある方向に」、「ある方向に沿って」、「平行」、「直交」、「中心」、「同心」或いは「同軸」等の相対的或いは絶対的な配置を表す表現は、厳密にそのような配置を表すのみならず、公差、若しくは、同じ機能が得られる程度の角度や距離をもって相対的に変位している状態も表すものとする。
例えば、「同一」、「等しい」及び「均質」等の物事が等しい状態であることを表す表現は、厳密に等しい状態を表すのみならず、公差、若しくは、同じ機能が得られる程度の差が存在している状態も表すものとする。
例えば、四角形状や円筒形状等の形状を表す表現は、幾何学的に厳密な意味での四角形状や円筒形状等の形状を表すのみならず、同じ効果が得られる範囲で、凹突起や面取り部等を含む形状も表すものとする。
一方、一の構成要素を「備える」、「具える」、「具備する」、「含む」、又は、「有する」という表現は、他の構成要素の存在を除外する排他的な表現ではない。
【００２３】
図１は、本発明の一実施形態に係る回転機械として、蒸気タービン１の概略的な構成を示す図である。図２は、図１の蒸気タービン１に用いられている複数の静翼３を、シュラウド及び翼根リングとともに概略的に示す斜視図である。図３は、図２中の静翼３（３ａ）を概略的に示す斜視図である。図４は、図３の静翼３（３ａ）を概略的に示す、静翼３（３ａ）の高さ方向と直交する断面図（横断面図）である。図５は、図４の静翼３（３ａ）に用いられているダンパ装置としての板ばねを概略的に示す、静翼３（３ａ）の高さ方向と直交する断面図である。図６は、他の一実施形態に係る静翼３（３ｂ）を概略的に示す斜視図である。図７は、他の一実施形態に係る静翼３（３ｃ）を概略的に示す横断面図である。図８は、他の一実施形態に係る静翼３（３ｄ）を概略的に示す横断面図である。図９は、他の一実施形態に係る静翼３（３ｅ）を概略的に示す横断面図である。図１０は、他の一実施形態に係る静翼３（３ｆ）を概略的に示す横断面図である。図１１は、図１０の静翼３（３ｆ）に用いられているダンパ装置としての板ばねを概略的に示す、静翼３（３ｆ）の高さ方向と直交する断面図である。図１２は、他の一実施形態に係る静翼３（３ｇ）を概略的に示す横断面図である。図１３は、図１２の静翼３（３ｇ）に用いられているダンパ装置としての板ばねを概略的に示す、静翼３（３ｇ）の高さ方向と直交する断面図である。図４、図７〜図１０及び図１２においては、円内に、凸部を含む領域を拡大して示している。
なお、以下の説明では、静翼３ａ〜３ｇを一括して静翼３とも称する。
【００２４】
図１に示したように、本発明の一実施形態に係る回転機械としての蒸気タービン１は、ハウジング１０と、ロータ（回転軸）１２と、複数の動翼列１４と、複数の静翼列１６と、を備えている。
ハウジング１０は、例えば中央上部に、蒸気のための入口１８を有し、下部に蒸気のための出口２０を有している。入口１８には、例えば湿分分離加熱器（不図示）によって水滴が除去された、蒸気が供給される。出口２０から流出した蒸気は、例えば復水器（不図示）に送られ、復水器によって冷却されて凝縮させられる。ハウジング１０内には、ロータ１２の周りに円筒形状の内部流路２２が区画され、内部流路２２を通じて、入口１８と出口２０とが連通している。
【００２５】
ロータ１２は、ハウジング１０の端壁を貫通して回転可能に延在している。ロータ１２の端部には、例えば図示しない発電機が連結される。
【００２６】
複数の動翼列１４は、ハウジング１０内に位置するロータ１２の中間部分に取り付けられ、ロータ１２とともに回転可能である。複数の動翼列１４は、内部流路２２に位置しており、ロータ１２の軸線方向にて相互に離間している。各動翼列１４は、ロータ１２の周方向に配列された複数の動翼２４によって構成されている。
【００２７】
複数の静翼列１６は、ハウジング１０に取り付けられ、内部流路２２に位置している。複数の静翼列１６はロータ１２の軸線方向にて相互に離間し、複数の静翼列１６と複数の動翼列１４は、ロータ１２の軸線方向にて交互に配置されている。各静翼列１６は、ロータ１２の周方向に配列された複数の静翼３によって構成されている。
なお、蒸気の流れ方向にて入口１８から出口２０に近づくにつれて、ロータ１２の径方向での、動翼列１４を構成する動翼２４の高さ、及び、静翼列１６を構成する静翼３の高さが徐々に大きくなる。
【００２８】
蒸気タービン１では、入口１８から流入した蒸気のエネルギが、複数の動翼列１４及び複数の静翼列１６を通過する際に機械的なエネルギに変換され、得られた機械的なエネルギをロータ１２が回転トルクとして出力可能である。蒸気タービン１から出力された回転トルクは、例えば発電機によって電力に変換される。
【００２９】
図２は、複数の静翼列１６のうち、蒸気の流れ方向にて最も下流に位置する静翼列１６の一部を、シュラウド２６、及び、翼根リング２８とともに概略的に示している。図２に示したように、複数の静翼３は、ロータ１２の周方向に間隔を存して配列されている。ロータ１２の径方向にて内側に位置する静翼３の内端に、シュラウド２６が取り付けられ、ロータ１２の径方向にて外側に位置する静翼３の外端に、翼根リング２８が取り付けられている。静翼３は、翼根リング２８を介してハウジング１０に取り付けられている。
【００３０】
図３、図４、図６〜図１０及び図１２に示したように、静翼３は、２つの壁部３０，３２と、少なくとも１つの板ばね３４とを有している。
２つの壁部３０，３２のうち一方の壁部３０は、静翼３の腹面（凹面）を構成しており、他方の壁部３２は、静翼３の背面（凸面）を構成している。２つの壁部３０，３２は、静翼３の前縁側及び後縁側にて、例えば溶接により結合され、この場合、溶接部３６，３８によって結合されている。壁部３０と壁部３２との間には空間３３が形成され、空間３３は、静翼３の高さ方向に延びている。
【００３１】
板ばね３４は、空間３３内に配置されている。板ばね３４は、壁部３０，３２の両方に接するように弾性変形させられた状態で配置されている。
板ばね３４は、壁部３０，３２のうち一方に固定された固定部４０を有している。固定部４０は、例えば溶接により、壁部３０，３２のうち一方に固定される。
また、板ばね３４は、弾性変形状態に起因する付勢方向にて、壁部３０，３２のうち他方に対向する板ばね側対向領域４２を有する。図５、図１１及び図１３は、板ばね３４の付勢方向を説明するための図であり、付勢方向は、２点鎖線で示した弾性変形させられる前の状態へ復元しようとする方向である。
【００３２】
なお、以下では、壁部３０，３２のうち、固定部４０によって板ばね３４が固定されている方を第１壁部４４とも称し、他方を第２壁部４６とも称する。このような定義によれば、図３、図４、図６〜図９及び図１２に示した静翼３ａ〜３ｅ，３ｇでは、腹面を構成する壁部３０が第１壁部４４であり、背面を構成する壁部３２が第２壁部４６である。これとは逆に、図１０に示した静翼３ｆでは、腹面を構成する壁部３０が第２壁部４６であり、背面を構成する壁部３２が第１壁部４４である。
【００３３】
第２壁部４６は、少なくとも１つの板ばね側対向領域４２と対向する少なくとも１つの第２壁部側対向領域４８を有する。
そして、板ばね３４及び第２壁部４６のうち一方は、板ばね側対向領域４２又は第２壁部側対向領域４８に、他方に向けて突出し且つ接触する凸部５０を有する。
【００３４】
上記構成では、板ばね３４の板ばね側対向領域４２及び第２壁部４６の第２壁部側対向領域４８のうち一方に、他方に向けて突出し且つ接触する凸部５０が設けられており、板ばね側対向領域４２と第２壁部側対向領域４８は、凸部５０のみを介して相互に接触する。このため、凸部５０によって、板ばね側対向領域４２と第２壁部側対向領域４８との間の接触面の大きさ及び位置が決定される。この結果として、接触面の大きさ及び位置のばらつきが抑制され、振動時の振動数や摩擦減衰特性の安定化が図られる。
【００３５】
そして、静翼３において、振動時の振動数や摩擦減衰特性の安定化が図られる結果として、上記構成の蒸気タービン１では、静翼３の振動が抑制され、全体としても振動が抑制される。
なお、接触面の大きさ（面積）のばらつきの抑制は、摩擦減衰特性の安定化に寄与し、接触面の位置のばらつきの抑制は、振動数の安定化及び摩擦減衰特性の安定化に寄与する。
【００３６】
幾つかの実施形態では、少なくとも１つの板ばね３４は、図６に示した静翼３ｂのように、静翼３の高さ方向に配列された複数の板ばね３４を含む。
【００３７】
凸部５０が静翼３の高さ方向に長い場合、高さ方向位置によって、板ばね側対向領域４２又は第２壁部側対向領域４８と凸部５０との間の接触状態にばらつきが生じる可能性がある。特に、第１壁部４４や第２壁部４６が３次元的な形状を有している場合、ばらつきが大きくなる可能性がある。この点、上記構成では、複数の板ばね３４が、静翼３の高さ方向に配列されることで、各板ばね３４において、板ばね側対向領域４２又は第２壁部側対向領域４８と凸部５０との間で、接触面の大きさ及び位置を、的確に決定することができる。この結果、静翼３の高さにかかわらずに、振動時の振動数や摩擦減衰特性の安定化を図ることができる。
【００３８】
幾つかの実施形態では、図８及び図９に示した静翼３ｄ，３ｅのように、板ばね３４及び第２壁部４６のうち他方は、板ばね側対向領域４２又は第２壁部側対向領域４８に、凸部５０を摺動可能に受け入れる凹部５２を有する。
【００３９】
上記構成では、凸部５０が凹部５２に摺動可能に受け入れられることで、凸部５０及び凹部５２によって、板ばね側対向領域４２と第２壁部側対向領域４８との間の接触面の大きさ及び位置が決定される。この結果として、接触面の大きさ及び位置のばらつきがより一層抑制され、振動時の振動数や摩擦減衰特性の安定化がより一層図られる。
なお、第２壁部側対向領域４８に凹部５２を設ける場合には、例えば、図４に示した静翼３ａの第２壁部側対向領域４８に、凹部５２を設ければよい。
【００４０】
幾つかの実施形態では、図８及び図９に示した静翼３ｄ，３ｅのように、凸部５０及び凹部５２は、曲面によって構成された表面をそれぞれ有する。
【００４１】
上記構成によれば、凸部５０及び凹部５２の表面が曲面によって構成されているので、凸部５０と凹部５２の間の接触面の大きさを大きくすることができ、大きな摩擦減衰を得ることができる。
【００４２】
幾つかの実施形態では、図８及び図９に示した静翼３ｄ，３ｅのように、静翼３ｄ，３ｅの高さ方向と直交する断面（横断面）でみて、凹部５２の表面を構成する曲面の曲率は、凸部５０の表面を構成する曲面の曲率以下である。
【００４３】
上記構成によれば、凹部５２の表面を構成する曲面の曲率半径は、凸部５０の表面を構成する曲面の曲率半径以上であるので、凸部５０と凹部５２の間の接触面の大きさを大きくしながら、凹部５２に対する凸部５０の摺動が確実に許容される。
【００４４】
幾つかの実施形態では、図８に示した静翼３ｄのように、静翼３ｄ，３ｅの高さ方向と直交する断面（横断面）でみて、凹部５２の表面を構成する曲面の曲率半径は、凸部５０の表面を構成する曲面の曲率半径に等しく、凹部５２の深さは、凸部５０の突出高さよりも小さい。
上述した構成によれば、凹部５２の表面を構成する曲面の曲率半径が、凸部５０の表面を構成する曲面の曲率半径に等しいので、凸部５０と凹部５２の間の接触面の大きさを大きくすることができる。一方、凹部５２の深さが凸部５０の突出高さよりも小さいので、凹部５２に対する凸部５０の摺動が確実に許容される。
【００４５】
幾つかの実施形態では、図３、図４、図６〜図９及び図１２に示したように、板ばね３４の固定部４０は、第１壁部４４として腹面を構成する壁部３０に固定されており、板ばね３４の板ばね側対向領域４２は、付勢方向にて、第２壁部４６として背面を構成する壁部３２と対向している。
【００４６】
幾つかの実施形態では、図１０に示したように、板ばね３４の固定部４０は、第１壁部４４として背面を構成する壁部３２に固定されており、板ばね３４の板ばね側対向領域４２は、付勢方向にて、第２壁部４６として腹面を構成する壁部３０と対向している。
【００４７】
幾つかの実施形態では、図１２に示したように、板ばね３４は、固定部４０の両側に２つの板ばね側対向領域４２を有しており、板ばね側対向領域４２毎に１つの凸部５０を有している。
【００４８】
幾つかの実施形態では、図３、図４、図６〜図１０及び図１２に示したように、静翼３の高さ方向と直交する断面でみて、板ばね側対向領域４２は、第２壁部側対向領域４８に沿って延在するように、第２壁部側対向領域４８に対応する形状又は相似形状を有している。
【００４９】
幾つかの実施形態では、図３〜図１３に示したように、静翼３の高さ方向と直交する断面でみて、板ばね３４は、固定部４０と、固定部４０に連なる湾曲部（第１湾曲部）５３と、湾曲部５３に連なる直線部５４とを有する。湾曲部５３とは反対側の直線部５４の端部は自由端（第１自由端）５５である。直線部５４は板ばね側対向領域４２を構成しており、直線部５４に凸部５０が設けられている。そして、静翼３の前縁と後縁とを結ぶ翼弦線５６に沿う方向にて、直線部５４に設けられた凸部５０は、翼弦線５６の中央よりも後縁側に位置し、固定部４０は、翼弦線５６の中央よりも前縁側に位置している。
【００５０】
幾つかの実施形態では、図１２及び図１３に示したように、静翼３の高さ方向と直交する断面でみて、板ばね３４は、固定部４０と、固定部４０の一方の側に連なる湾曲部（第１湾曲部）５３と、湾曲部５３に連なる直線部５４と、固定部４０の他方の側に連なる湾曲部（第２湾曲部）５７とを有する。湾曲部５３とは反対側の直線部５４の端部は自由端（第１自由端）５５である。直線部５４は板ばね側対向領域４２を構成しており、直線部５４に凸部５０が設けられている。固定部４０とは反対側の湾曲部５７の端部は自由端（第２自由端）５８である。湾曲部５７は、板ばね側対向領域４２を構成しており、湾曲部５７に凸部５０が設けられている。そして、静翼３の前縁と後縁とを結ぶ翼弦線５６に沿う方向にて、直線部５４に設けられた凸部５０は、翼弦線５６の中央よりも後縁側に位置し、固定部４０は、翼弦線５６の中央よりも前縁側に位置し、湾曲部５７に設けられた凸部５０は、固定部４０よりも更に前縁側に位置している。
なお、直線部５４は、第１壁部４４又は第２壁部４６の形状に応じて多少湾曲していてもよく、直線部５４の直線とは、直線部５４の曲率が、湾曲部５３の曲率よりも小さいことを意味する。
【００５１】
幾つかの実施形態では、図３及び図６に示したように、各板ばね３４は、静翼３の高さ方向に延在しており、静翼３の高さ方向と直交する各板ばね３４の断面形状は、静翼３の高さ方向位置によらずに同一である。
【００５２】
幾つかの実施形態では、図５、図１１及び図１３に示したように、板ばね３４は、少なくとも１つの板ばね側対向領域４２を有し、板ばね側対向領域４２毎に１つの凸部５０を有している。図５、図１１及び図１３に示した板ばね３４は、板ばね側対向領域４２毎に凸部５０を有しており、壁部３０と壁部３２との間の空間３３に配置するのみで、ダンパ装置を構成可能である。
【００５３】
幾つかの実施形態では、図３、図４、図６〜図１０及び図１２に示すように、腹面を構成する壁部３０には、複数のスリット６０，６２が形成されている。腹面に沿って流れる蒸気に含まれる水滴は、複数のスリット６０，６２を通じて静翼３内の空間３３に流入可能である。空間３３に流入した水滴は、壁部３０の内面に沿って流下し、例えば、シュラウド２６に形成された排水孔６４（図２参照）を通じて排出される。
なお、複数のスリット６０，６２が形成される場合、板ばね３４によってスリット６０，６２が閉塞されないように、板ばね３４又はスリット６０，６２の配置が決定される。
【００５４】
上述した静翼３は、壁部３０又は壁部３２に、板ばね３４の固定部４０を固定した後、板ばね３４を弾性変形させながら、壁部３０と壁部３２とを接合することによって製造可能である。
【００５５】
本発明は上述した実施形態に限定されることはなく、上述した実施形態に変更を加えた形態や、これらの形態を組み合わせた形態も含む。
例えば、上述した実施形態では、回転機械として蒸気タービンについて説明したが、回転機械は蒸気タービンに限定されることはなく、ガスタービン等であってもよい。また例えば、上記した蒸気タービン１は、低圧タービンであったが、中圧タービンや高圧タービンであってもよい。ただし、静翼３の振動は、静翼３の高さが高くなるほど問題になるので、上述した実施形態の静翼３は、低圧タービンに適しており、特に低圧タービンの最終段に適している。
【００５６】
例えば、上述した実施形態では、板ばね３４を有する回転機械翼として、静翼３について説明したが、動翼が中空であれば、板ばね３４を有する回転機械翼は動翼であってもよい。
例えば、上述した実施形態では、静翼３の高さ方向の開口端がシュラウド２６及び翼根リング２８によって覆われていたが、シュラウド２６や翼根リング２８とは別体の蓋体によって覆われていてもよい。
【００５７】
例えば、上述した実施形態では、静翼３の高さ方向と直交する断面での、壁部３０，３２及び板ばね３４の断面形状が、高さ方向位置にかかわらずに同一であったが、高さ方向位置に応じて変化していてもよい。
例えば、上述した実施形態では、静翼３の腹面は凹面によって構成され、背面は凸面によって構成されていたが、回転機械翼の腹面及び背面の両方が凸面によって構成されていてもよい。
【００５８】
例えば、上述した実施形態では、静翼３の高さ方向と直交する断面でみて、凸部５０は半円筒形状を有し、凸部５０の表面は湾曲面によって構成されていたが、静翼３の高さ方向と直交する断面でみて、凸部５０は、台形状や四角形状を有していてもよい。同様に、上述した実施形態では、静翼３の高さ方向と直交する断面でみて、凹部５２は半円筒形状を有し、凹部５２の表面は湾曲面によって構成されていたが、静翼３の高さ方向と直交する断面でみて、凹部５２は、台形状や四角形状を有していてもよい。
【符号の説明】
【００５９】
１              蒸気タービン（回転機械）
３，３ａ〜３ｇ  静翼（回転機械翼）
１０            ハウジング
１２            ロータ
１４            動翼列
１６            静翼列
１８            入口
２０            出口
２２            内部流路
２４            動翼
２６            シュラウド
２８            翼根リング
３０            壁部
３２            壁部
３３            空間
３４            板ばね
３６            溶接部
３８            溶接部
４０            固定部
４２            板ばね側対向領域
４４            第１壁部
４６            第２壁部
４８            第２壁部側対向領域
５０            凸部
５２            凹部
５３            湾曲部（第１湾曲部）
５４            直線部
５５            自由端（第１自由端）
５６            翼弦線
５７            湾曲部（第２湾曲部）
５８            自由端（第２自由端）
６０            スリット
６２            スリット
６４            排水孔
【図１】
0006670649.tif 000002
【図２】
0006670649.tif 000003
【図３】
0006670649.tif 000004
【図４】
0006670649.tif 000005
【図５】
0006670649.tif 000006
【図６】
0006670649.tif 000007
【図７】
0006670649.tif 000008
【図８】
0006670649.tif 000009
【図９】
0006670649.tif 000010
【図１０】
0006670649.tif 000011
【図１１】
0006670649.tif 000012
【図１２】
0006670649.tif 000013
【図１３】
0006670649.tif 000014